(57)【要約】【課題】遊技盤を組み立てるための作業量およびその費用を低減する。【解決手段】遊技盤９は、ポリカーボネート製の板材であり、主要部分を占める不透明な盤部材９ａおよび中央左側部分を占める透明な盤部材９ｂを二重成形によって一体化した構成を有する。盤部材９ｂは、ドリル加工等で下穴を開けた上で遊技釘やレールピンを打ち込み可能であり、打ち込まれた遊技釘やレールピンを保持するだけの硬度を有している。したがって、成形後に盤部材９ａと盤部材９ｂとを組み付け等で一体化する必要がなく、遊技盤９を組み立てるための作業量およびその費用を低減することができる。【選択図】図２
2014023765.tif 000002
【特許請求の範囲】
【請求項１】
合成樹脂製の複数の盤部材を備え、前記複数の盤部材が多重成形によって一体化されていることを特徴とする遊技盤。
【請求項２】
請求項１に記載の遊技盤において、
前記複数の盤部材すべては、同一の樹脂材料で構成されていることを特徴とする遊技盤。
【請求項３】
請求項２に記載の遊技盤において、
前記複数の盤部材は、遊技釘を打ち込み可能な樹脂材料で構成されていることを特徴とする遊技盤。
【請求項４】
請求項１に記載の遊技盤において、
前記複数の盤部材の一つ以上は、他の盤部材とは異なる樹脂材料で構成されていることを特徴とする遊技盤。
【請求項５】
請求項４に記載の遊技盤において、
前記複数の盤部材の一つ以上は、遊技釘を打ち込み可能な樹脂材料で構成されていることを特徴とする遊技盤。
【請求項６】
請求項１〜請求項５の何れか１項に記載の遊技盤において、
前記複数の盤部材には、透光性を有する盤部材と透光性を有しない盤部材とが含まれていることを特徴とする遊技盤。
【発明の詳細な説明】
【技術分野】
【０００１】
本発明は、パチンコ機等の弾球遊技機の技術分野に属し、詳しくは、弾球遊技機の遊技盤に関する。
【背景技術】
【０００２】
パチンコ機等の弾球遊技機の遊技盤には遊技球の進路を変化させるための遊技釘（障害釘とも言う）が打ち付けられるのが一般的である。
そのため、遊技盤を合成樹脂製にした場合は、釘打ち可能にするための構成を要求される。
【０００３】
例えば、特許文献１には、遊技盤（１）が、遊技釘を緩嵌される緩嵌穴が設けられた透明な合成樹脂製の前面板（３１）と、前面板（３１）の背後に配置された背面部材（３２）と、を備え、背面部材（３２）は、合成樹脂の射出成形品である躯体部（３５）と、躯体部（３５）に取り付けられた合成樹脂の発泡材である釘打ちブロック（４１）とで構成される点が記載されている。
【先行技術文献】
【特許文献】
【０００４】
【特許文献１】特開２００６−２２３４６７号公報（第７頁、図２）
【発明の概要】
【発明が解決しようとする課題】
【０００５】
しかしながら、特許文献１に記載の遊技盤（１）においては、躯体部（３５）に釘打ちブロック（４１）を取り付けることで背面部材（３２）を組み立てた後に、前面板（３１）に背面部材（３２）を取り付けることで遊技盤（１）を組み立てる必要があり、このような遊技盤（１）を組み立てるための作業および費用が必要となるという問題があった。
【０００６】
本発明は、このような課題に鑑みなされたものであり、その目的とするところは、弾球遊技機の遊技盤において、遊技盤を組み立てるための作業量およびその費用を低減する技術を提供することにある。
【課題を解決するための手段】
【０００７】
上記課題を解決するためになされた請求項１に係る遊技盤によれば、合成樹脂製の複数の盤部材が多重成形によって一体化されるので、成形後に複数の盤部材を組み付け等で一体化する必要がなく、遊技盤を組み立てるための作業量およびその費用を低減することができる。
【０００８】
上述の複数の盤部材については、（イ）複数の盤部材すべてが同一の樹脂材料で構成される場合や、（ロ）複数の盤部材の一つ以上が他の盤部材とは異なる樹脂材料で構成される場合が考えられる。また、（ハ）複数の盤部材に、透光性を有する盤部材と透光性を有しない盤部材とが含まれていることが考えられる。
【０００９】
まず、（イ）のように、上述の複数の盤部材すべてが同一の樹脂材料で構成される場合には、統一感のあるデザイン性を発揮することができる（請求項２）。
なおこの場合、これら複数の盤部材すべてが、遊技釘を打ち込み可能な樹脂材料で構成されることが考えられる（請求項３）。このように構成すれば、遊技釘を取り付けるための穴を遊技盤の成形後に機械加工で形成する必要がないので、その分、遊技盤を組み立てるための作業量およびその費用に相当する機械加工の作業量及び加工費を低減することができる。
【００１０】
また、（ロ）のように、複数の盤部材の一つ以上が他の盤部材とは異なる樹脂材料で構成される場合には、例えば、盤部材Ａはポリカーボネート、盤部材ＢはＡＢＳというように、盤部材毎に樹脂材料を変化させることが可能であり、樹脂材料が異なる盤部材の形状や配置によって斬新なデザイン性を発揮することができる（請求項４）。
【００１１】
なおこの場合、一部の盤部材が遊技釘を打ち込み可能な樹脂材料で構成されることが考えられる（請求項５）。このように構成すれば、遊技釘を打ち込み可能な盤部材については、遊技釘を取り付けるための穴を遊技盤の成形後に機械加工で形成する必要がないので、その分機械加工の作業量及び加工費を低減することができる。
【００１２】
また、（ハ）のように、複数の盤部材に、透光性を有する盤部材と透光性を有しない盤部材とが含まれている場合には、例えば、盤部材Ａは透明、盤部材Ｂは不透明というように、盤部材毎に透光度を変化させることが可能であり、透光度の異なる盤部材の形状や配置によって斬新なデザイン性を発揮することができるとともに、各盤部材の背後に設置した表示装置や電飾装置と協働して斬新な演出効果を発揮することができる（請求項６）。
【図面の簡単な説明】
【００１３】
【図１】パチンコ機１の正面図
【図２】パチンコ機１の遊技盤９の正面図、平面図および側面図
【図３】パチンコ機１の遊技盤１０９の正面図、平面図および側面図
【発明を実施するための形態】
【００１４】
以下に本発明の実施形態を図面とともに説明する。
［１．パチンコ機１の構成の説明］
図１に示すように、弾球遊技機の一種であるパチンコ機１の前面部には、上から順に盤面窓枠２、皿扉３、下部ユニット４が配されている。
【００１５】
これらは外枠５に保持された中枠６に取り付けられている。盤面窓枠２及び皿扉３はヒンジにて中枠６に軸支され、それぞれ扉状に開閉できるが、下部ユニット４は中枠６に固定されている。下部ユニット４には発射ハンドル４ａや灰皿４ｂが取り付けられている。
【００１６】
盤面窓枠２には円形の窓７が設けられ、その周辺に電飾レンズ８が配されている。また、盤面窓枠２には、窓７を閉塞するためのガラス板（透明板）７ａが窓７の背後に装着される。そして、盤面窓枠２の背後の窓７に臨んだ位置には、中枠６に保持された遊技盤９が配されている。遊技盤９には、ガイドレール、可変入賞装置、ゲート、大入賞口、普通入賞口、庇部材、ステージ、表示装置等が取り付けられ、遊技釘や風車が打ち付けられている（詳細の図示は省略）。
【００１７】
［２．遊技盤９の構成の説明］
次に、本実施形態の遊技盤９の構成について図２に基づき説明する。
遊技盤９は、合成樹脂製の板材であり、主要部分を占める盤部材９ａおよび中央左側部分を占める盤部材９ｂを二重成形によって一体化した構成を有する。このうちの盤部材９ａは、不透明な合成樹脂（本実施形態ではポリカーボネート）製である。また、盤部材９ｂは、透明な合成樹脂（本実施形態ではポリカーボネート）製である。盤部材９ａおよび盤部材９ｂは、ドリル加工等で下穴を開けた上で遊技釘やレールピンを打ち込み可能であり、打ち込まれた遊技釘やレールピンを保持するだけの硬度を有している。
【００１８】
なお、盤部材９ａと盤部材９ｂとが異なる樹脂材料で構成されるようにしてよい。つまり、複数の盤部材の一つ以上が他の盤部材とは異なる樹脂材料で構成されるようにしてもよい。例えば、盤部材９ａはポリカーボネート、盤部材９ｂはＡＢＳやエラストマー樹脂というように、盤部材毎に樹脂材料を変化させることも可能である。このように構成すれば、樹脂材料が異なる盤部材の形状や配置によって斬新なデザイン性を発揮することができる。さらに、一部の盤部材のみが遊技釘を打ち込み可能な樹脂材料で構成されるようにしてもよい。特に、遊技釘やレールピンが打ち込まれる領域となる遊技盤の中央左側部分（盤部材９ｂ）については、遊技釘を打ち込み可能な樹脂材料で構成されるとよい。このような遊技釘を打ち込み可能な樹脂材料としては、ＡＢＳやエラストマー樹脂などが挙げられる。また、盤部材９ａを透明にしてもよいし、盤部材９ｂを不透明にしてもよい。
【００１９】
また、遊技盤９の上下左右の縁部付近には貫通穴１０が多数形成されている。貫通穴１０は、ビスを用いて遊技盤９を中枠６に装着する際に利用される。
また、遊技盤９の正面から見て上部右端には切り欠き１１ａが形成され、同じく下部左端には同様の切り欠き１１ｂが形成され、同じく下部右端には同様の切り欠き１１ｃが形成されている。切り欠き１１ａ，１１ｂ，１１ｃは、遊技盤９を中枠６に装着する際に遊技盤９と中枠６との干渉を回避するために形成される。
【００２０】
また、遊技盤９の中央には貫通穴１２ａが形成されている。また、遊技盤９の貫通穴１２ａ右側には貫通穴１２ｂ，１２ｃが縦方向に並べて形成されている。また、遊技盤９の貫通穴１２ａ下側には貫通穴１２ｄ，１２ｅが横方向に並べて形成されている。貫通穴１２ａ，１２ｂ，１２ｃ，１２ｄ，１２ｅは、センター役物などの遊技盤９の表側と裏側との間で遊技球を行き来させる構造物を遊技盤９に取り付けるのに利用される。
【００２１】
また、遊技盤９の下部中央には、貫通穴１３が形成されている。貫通穴１３は、遊技盤９の表側を転動してきた遊技球をアウト球として排出するためのアウト穴として利用される。
【００２２】
［３．実施形態の効果］
（１）このように本実施形態の遊技盤９によれば、主要部分を占める盤部材９ａおよび中央左側部分を占める盤部材９ｂを二重成形によって一体化した構成を有するので、成形後に盤部材９ａと盤部材９ｂとを組み付け等で一体化する必要がなく、遊技盤９を組み立てるための作業量およびその費用を低減することができる。
【００２３】
（２）また、本実施形態の遊技盤９によれば、複数の盤部材に分割されているものの、主要部分を占める盤部材９ａおよび中央左側部分を占める盤部材９ｂが同一の樹脂材料（本実施形態ではポリカーボネート）で構成されているので、統一感のあるデザイン性を発揮することができる。
【００２４】
（３）また、本実施形態の遊技盤９によれば、盤部材９ａおよび盤部材９ｂがポリカーボネート製であり、ドリル加工等で下穴を開けた上で遊技釘やレールピンを打ち込み可能であり、打ち込まれた遊技釘やレールピンを保持するだけの硬度を有しているので、遊技釘を取り付けるための穴を遊技盤９の成形後に機械加工で形成する必要がなく、その分機械加工の作業量及び加工費を低減することができる。
【００２５】
（４）また、本実施形態の遊技盤９によれば、盤部材９ａが不透明であり、盤部材９ｂが透明であるといった具合に、透光性を有する盤部材と透光性を有しない盤部材とが含まれているので、盤部材毎に透光度を変化させることが可能であり、透光度の異なる盤部材の形状や配置によって斬新なデザイン性を発揮することができるとともに、各盤部材の背後に設置した表示装置や電飾装置と協働して斬新な演出効果を発揮することができる。
【００２６】
［４．他の実施形態］
以上、本発明の一実施形態について説明したが、本発明は上記実施形態に限定されるものではなく、以下のような様々な態様にて実施することが可能である。
【００２７】
（１）上記実施形態では、遊技盤９が、二種類の盤部材９ａおよび盤部材９ｂを一次成形および二次成形からなる二重成形によって一体化した構成を有するが、これには限られず、遊技盤９が、三種類以上の盤部材から構成されるようにしてもよい。この場合、三種類以上の盤部材を同一の金型内に樹脂材料を複数回に分けて射出する成形方法（多重成形）によって一体化してもよいし、予め射出成形などで成形した一部の盤部材を金型内にインサートして多重成形を行うことで一体化してもよい。
【００２８】
（２）上記実施形態では、遊技釘やレールピンが打ち込まれる領域となる遊技盤９の中央左側部分を独立した部材（盤部材９ｂ）としているが、これには限られず、実際に遊技釘やレールピンが打ち込まれる箇所のみを独立した部材にしてもよい。
【００２９】
遊技盤１０９は、合成樹脂製の板材であり、盤部材１０９ａと、遊技釘が打ち込まれる円柱状の盤部材１０９ｂおよびレールピンが打ち込まれる柱状の盤部材１０９ｃと、を二重成形によって一体化した構成を有する。なお、図３では、盤部材１０９ｂ，１０９ｃを黒塗りで図示している。このうちの盤部材１０９ａは、不透明な合成樹脂（本実施形態ではポリカーボネート）製である。また、盤部材１０９ｂ，１０９ｃは、透明な合成樹脂（本実施形態ではポリカーボネート）製である。盤部材１０９ａ，１０９ｂ，１０９ｃは、ドリル加工等で下穴を開けた上で遊技釘やレールピンを打ち込み可能であり、打ち込まれた遊技釘やレールピンを保持するだけの硬度を有している。
【００３０】
なお、遊技盤１０９の遊技盤９と同一の構成については、同一の符号を用いてその詳細な説明は省略する。
【符号の説明】
【００３１】
１…パチンコ機、２…盤面窓枠、３…皿扉、４…下部ユニット、４ａ…発射ハンドル、４ｂ…灰皿、５…外枠、６…中枠、７…窓、７ａ…ガラス板、８…電飾レンズ、９…遊技盤、９ａ，９ｂ…盤部材、１０…貫通穴、１１ａ，１１ｂ，１１ｃ…切り欠き、１２ａ，１２ｂ，１２ｃ，１２ｄ，１２ｅ…貫通穴、１３…貫通穴、１０９…遊技盤、１０９ａ，１０９ｂ，１０９ｃ…盤部材
【図１】
2014023765.tif 000003
【図２】
2014023765.tif 000004
【図３】
2014023765.tif 000005